(57)【要約】【課題】試験中の現象を的確に検証できる試験装置および試験方法を提供する。【解決手段】詳細情報取得手段１０１は、試験結果以外の情報を含んだ詳細情報を取得する。条件検出手段１０２は、試験実行中における特定の条件の発生を検出する。記録手段１０３は、条件検出手段１０２により特定の条件の発生が検出された場合に、詳細情報取得手段１０１により取得される詳細情報を記録する。この通信端末の試験装置によれば、特定の条件の発生が検出された場合に詳細情報を記録するので、大容量の記憶媒体を用いることなく必要な詳細情報を記録することができ、試験中に発生した現象を的確に検証できる。【選択図】図１
2007174176.tif 000002
【特許請求の範囲】
【請求項１】
通信端末の通信特性を試験し、試験結果を出力する試験装置において、
前記試験結果以外の情報を含んだ詳細情報を取得する詳細情報取得手段と、
試験実行中における特定の条件の発生を検出する条件検出手段と、
前記条件検出手段により特定の条件の発生が検出された場合に、前記詳細情報取得手段により取得される前記詳細情報を記録する記録手段と、
を備えることを特徴とする通信端末の試験装置。
【請求項２】
前記特定の条件は前記試験結果に示される条件であることを特徴とする請求項１に記載の通信端末の試験装置。
【請求項３】
前記記録手段は、前記特定の条件の検出から遡った時刻の前記詳細情報を記録することを特徴とする請求項１または２に記載の通信端末の試験装置。
【請求項４】
前記詳細情報は前記試験結果に含まれないデータの種類を含んでいることを特徴とする請求項１〜３のいずれか１項に記載の通信端末の試験装置。
【請求項５】
前記詳細情報は前記試験結果よりも時間軸分解能の高いデータを含んでいることを特徴とする請求項１〜４のいずれか１項に記載の通信端末の試験装置。
【請求項６】
前記詳細情報取得手段は、前記詳細情報をバッファリングするバッファリング手段を具備し、
前記記録手段は前記バッファリング手段によりバッファリングされた前記詳細情報を記録することを特徴とする請求項１〜５のいずれか１項に記載の通信端末の試験装置。
【請求項７】
通信端末の通信特性を試験し、試験結果を出力する試験方法において、
前記試験結果以外の情報を含んだ詳細情報を取得するステップと、
試験実行中における特定の条件の発生を検出するステップと、
前記検出するステップにより特定の条件の発生が検出された場合に、前記詳細情報を取得するステップにより取得される前記詳細情報を記録するステップと、
を備えることを特徴とする通信端末の試験方法。
【請求項８】
前記特定の条件は前記試験結果に示される条件であることを特徴とする請求項７に記載の通信端末の試験方法。
【発明の詳細な説明】
【技術分野】
【０００１】
本発明は、通信端末の通信特性を測定することで通信端末の合否判定を行う試験装置および試験方法に関し、とくに試験中の現象を的確に検証できる試験装置および試験方法に関する。
【背景技術】
【０００２】
携帯電話機等の通信端末の通信特性を測定することで、通信端末の合否判定を行う試験装置が知られている。このような試験装置は試験対象となる通信端末との間で通信による情報のやり取りを実行し、通信端末からの応答に基づいて通信端末の送受信動作の状態等を調べることでその合否を判断している。
【特許文献１】特開２００５−１２２７４号公報
【発明の開示】
【発明が解決しようとする課題】
【０００３】
上記の試験装置を用いて、例えば、試験により不合格の結果が得られたような場合には、同一試験を再度実施し不合格の原因を調査することになる。しかし、再現試験を行っても不合格の発生頻度が低い場合や、試験装置と試験対象との相互作用により不合格が発生している場合がある。また、不合格の判定が不適切な試験条件の設定や試験装置の不具合に起因する場合もある。このような場合には、原因の特定に複雑でクリティカルな検証が要求されるため、試験の実施者あるいは試験装置を提供する試験装置メーカーの側において、不合格の原因を解析するための詳細データを取得して調査する作業が必要となる。
【０００４】
しかし、合否判定には直接必要のない詳細なデータを試験装置内部に常時記録するとすれば、試験に不必要なデータを大量に蓄積するための大容量の記憶装置が必要となり現実的でない。また、仮に詳細なデータを蓄積したとしても、膨大なデータの中から検証のために本当に必要なデータを探し出すことは困難である。
【０００５】
本発明の目的は、試験中の現象を的確に検証できる試験装置および試験方法を提供することにある。
【課題を解決するための手段】
【０００６】
本発明の通信端末の試験装置は、通信端末の通信特性を試験し、試験結果を出力する試験装置において、前記試験結果以外の情報を含んだ詳細情報を取得する詳細情報取得手段と、試験実行中における特定の条件の発生を検出する条件検出手段と、前記条件検出手段により特定の条件の発生が検出された場合に、前記詳細情報取得手段により取得される前記詳細情報を記録する記録手段と、を備えることを特徴とする。
この通信端末の試験装置によれば、特定の条件の発生が検出された場合に詳細情報を記録するので、大容量の記憶媒体を用いることなく必要な詳細情報を記録することができ、試験中に発生した現象を的確に検証できる。
【０００７】
前記特定の条件は前記試験結果に示される条件であってもよい。
【０００８】
前記記録手段は、前記特定の条件の検出から遡った時刻の前記詳細情報を記録してもよい。
【０００９】
前記詳細情報は前記試験結果に含まれないデータの種類を含んでいてもよい。
【００１０】
前記詳細情報は前記試験結果よりも時間軸分解能の高いデータを含んでいてもよい。
【００１１】
前記詳細情報取得手段は、前記詳細情報をバッファリングするバッファリング手段を具備し、前記記録手段は前記バッファリング手段によりバッファリングされた前記詳細情報を記録してもよい。
【００１２】
本発明の通信端末の試験方法は、通信端末の通信特性を試験し、試験結果を出力する試験方法において、前記試験結果以外の情報を含んだ詳細情報を取得するステップと、試験実行中における特定の条件の発生を検出するステップと、前記検出するステップにより特定の条件の発生が検出された場合に、前記詳細情報を取得するステップにより取得される前記詳細情報を記録するステップと、を備えることを特徴とする。
この通信端末の試験方法によれば、特定の条件の発生が検出された場合に詳細情報を記録するので、大容量の記憶媒体を用いることなく必要な詳細情報を記録することができ、試験中に発生した現象を的確に検証できる。
【００１３】
前記特定の条件は前記試験結果に示される条件であってもよい。
【発明の効果】
【００１４】
本発明の通信端末の試験装置によれば、特定の条件の発生が検出された場合に詳細情報を記録するので、大容量の記憶媒体を用いることなく必要な詳細情報を記録することができ、試験中に発生した現象を的確に検証できる。
【００１５】
本発明の通信端末の試験方法によれば、特定の条件の発生が検出された場合に詳細情報を記録するので、大容量の記憶媒体を用いることなく必要な詳細情報を記録することができ、試験中に発生した現象を的確に検証できる。
【発明を実施するための最良の形態】
【００１６】
図１は本発明による通信端末の試験装置を機能的に示すブロック図である。
【００１７】
図１において、詳細情報取得手段１０１は、試験結果以外の情報を含んだ詳細情報を取得する。条件検出手段１０２は、試験実行中における特定の条件の発生を検出する。記録手段１０３は、条件検出手段１０２により特定の条件の発生が検出された場合に、詳細情報取得手段１０１により取得される詳細情報を記録する。
【００１８】
以下、図２〜図４を参照して、本発明による通信端末の試験装置の一実施形態について説明する。
【００１９】
図２（ａ）は、本発明による試験装置を携帯電話機の試験装置に適用した一実施形態の構成を示すブロック図である。
【００２０】
図２（ａ）に示すように、本実施形態の試験装置は、携帯電話機１０が使用する所定周波数の電波を用いて携帯電話機１０との間で信号の送受信を行う高周波送受信回路１と、高周波送受信回路１から受けた受信波を復調し、あるいは後述するプロトコル処理部３から受けたデータで高周波を変調する変復調処理部２と、携帯電話機１０との間で通信チャネルの確立に関する制御情報をやり取りするプロトコル処理部３と、携帯電話機１０から受信した高周波の特性や変調特性等を測定するとともに、その測定結果と、基準値格納部４１に格納された基準値とを対比して合否判定を実行する測定処理部４と、測定処理部４により得られた測定結果の数値および合否判定の結果を試験結果として格納する試験結果格納部５と、高周波送受信回路１、変復調処理部２、プロトコル処理部３および測定処理部４から詳細情報を獲得する内部ログ６と、を備える。この詳細情報については後述する。
【００２１】
図２（ａ）に示すように、内部ログ６は詳細情報をバッファリングする一時記憶部６１と、バッファリングされた詳細情報を不揮発的に保存するハードディスク等の記憶媒体６２と、を備える。
【００２２】
図２（ｂ）は、本実施形態の試験装置の制御系の構成を示す制御ブロック図である。
【００２３】
図２（ｂ）に示すように、本実施形態の試験装置では、上記高周波送受信回路１、変復調処理部２、プロトコル処理部３、測定処理部４、試験結果格納部５および内部ログ６が、制御部７により制御される。また、制御部７に接続された操作部８は、制御部７での制御に必要な設定等についてのユーザの各種指示を受け付ける。
【００２４】
次に、本実施形態の試験装置の動作について説明する。
【００２５】
上記のように、内部ログ６は高周波送受信回路１、変復調処理部２、プロトコル処理部３および測定処理部４から詳細情報を取得する。詳細情報は、試験実行時の携帯電話機１０および試験装置の状態を検証する際に使用される情報であり、試験結果格納部５に格納される試験結果の範囲を越えて取得される。すなわち、詳細情報は試験結果を構成するデータ種以外の種類のデータを含んでいる。また、詳細情報は試験結果のデータの取得タイミングとは異なるタイミングで取得されたデータを含んでいる。
【００２６】
上記のように、詳細情報は、試験実行中に試験装置の各部から得られる。詳細情報には、高周波送受信回路１、変復調処理部２、プロトコル処理部３に対する内部設定の状態や動作状態が含まれる。例えば、信号レベルの増幅度を規定する各部のアッテネータや各部のゲインの設定状態、変復調処理部２における変復調レベルや変調の精度、プロトコル処理部３におけるデータ処理の手順等が含まれる。
【００２７】
また、詳細情報には、試験実行中における高周波送受信回路１、変復調処理部２、プロトコル処理部３および測定処理部４についての入出力データおよび中間処理データが含まれる。例えば、高周波送受信回路１の送信パワー、試験装置各部における信号の強度、信号の周波数、変復調処理部２やプロトコル処理部３における信号やデータの状態等が含まれる。
【００２８】
さらに詳細情報は、試験装置の異常や故障を示す情報を含んでいてもよい。
【００２９】
また詳細情報は試験結果格納部５に格納される試験結果自体を含んでいてもよい。
【００３０】
これらの詳細情報にはタイムスタンプが付され、詳細情報はタイムスタンプとともに内部ログ６の一時記憶部６１に順次記憶される。詳細情報は一時記憶部６１に順次上書きされ、一時記憶部６１には常に最新の詳細情報が一定時間分バッファリングされる。
【００３１】
また、本実施形態では、不合格の判定時にはバッファリングされた詳細情報が記憶媒体６に格納される。格納時の手順については後述する。
【００３２】
図３（ａ）は、本実施形態の試験装置の動作手順を示すフローチャートである。
【００３３】
図３（ａ）のステップＳ１〜ステップＳ２は、制御部７によるトリガ通知の処理手順を示している。
【００３４】
図３（ａ）のステップＳ１では、制御部７は測定処理部４から出力される測定結果に基づいて、不合格の判定が示されたか否か判断し、判断が肯定されればステップＳ２へ進み、判断が否定されればステップＳ１を繰り返す。ステップＳ２では、制御部７は内部ログ６に向けてトリガ通知を実行し、ステップＳ１へ戻る。
【００３５】
このように、ステップＳ１〜ステップＳ２の処理では、不合格の判定の有無を判断し、不合格の場合には内部ログ６に向けてトリガ通知を行っている。
【００３６】
図３（ａ）のステップＳ１１〜ステップＳ１２は、内部ログ６における処理手順を示している。通常時、すなわちトリガ通知（ステップＳ２）が行われない場合には、内部ログ６では、上記のようにタイムスタンプが付された詳細情報が一時記憶部６１に順次記憶され、常に最新の詳細情報がバッファリングされている。ステップＳ１１〜ステップＳ１２の処理は、このような状態の下で実行される。
【００３７】
図３（ａ）のステップＳ１１では、制御部７からのトリガ通知（ステップＳ２）が受信されたか否か判断し、判断が肯定されればステップＳ１２へ進み、判断が否定されればステップＳ１１を繰り返す。ステップＳ１２では、現在バッファリングされている詳細情報および新たに取得されつつある詳細情報をタイムスタンプとともに記憶媒体６２に格納し、ステップＳ１１へ戻る。
【００３８】
図３（ｂ）は、ステップＳ１２において記憶媒体６２に格納される詳細情報の時間的範囲を示す図である。
【００３９】
図３（ｂ）において、トリガ通知の受信が認識された時刻をＴ０として示している。このとき、一時記憶部６１には時刻Ｔ１から時刻Ｔ０の間に取得された詳細情報がバッファリングされている。また、ステップＳ１２において記憶媒体６２に新たに格納する詳細情報は、時刻Ｔ０から時刻Ｔ２の間に取得されたものである。
【００４０】
このように、ステップＳ１２では、時刻Ｔ０を挟んで時刻Ｔ１から時刻Ｔ２までに内部ログ６が取得する詳細情報を記憶媒体６２に格納している。
【００４１】
図４は、試験結果格納部５に格納される試験結果と、内部ログ６で取得される詳細情報との関係を示す図である。
【００４２】
図４に示すように、詳細情報として取り扱われるデータは、試験結果を構成するデータ以外の種類のデータを含んでいる。また、時間軸方向についても、詳細情報を構成するデータは、試験結果に比較しより細かく取得された、時間軸分解能のより高いデータである。
【００４３】
このように、データの種類を増加させるとともに、時間軸に対して高い分解能で記録された詳細情報は、ユーザの指示に基づいて自由に記憶媒体６２から取り出すことができる。この詳細情報は、実質的に不合格の判定がなされた時刻である時刻Ｔ０の前後の詳細な状況を示す材料となるため、不合格の原因を詳細に検証することが可能となる。例えば、不合格の判定が得られた時刻から遡って記録された詳細情報を検証することで、不合格の判定が発生する直前の状況を把握することができる。また、本実施形態では、必要な期間だけ詳細情報を記録するので、常時詳細情報を記録する場合に要求されるような大容量の記憶媒体を用意する必要がない。
【００４４】
以上のように、本実施形態では、試験実行中に不合格の判定が得られた場合に、試験装置各部から得られる詳細情報が時刻情報とともに順を追って自動的に記録される。このような記録を、解析のノウハウを有する技術者が検証することで、例えば、再現頻度の低い場合の不合格要因を的確に把握することができる。あるいは試験環境により再現性が変動するような場合の再現条件を特定することができる。例えば、試験装置が想定外の信号に反応しているような場合に、この信号を抽出することも可能となる。また、試験装置自体の異常を適切に把握できる。さらに、試験装置と試験対象との相互作用により不合格が発生する場合のメカニズム等も把握できる。
【００４５】
また、本実施形態では、高い時間軸分解能で詳細情報を記録している。このため、不適切な試験条件の設定、例えば、データの取得タイミングのずれ等に起因して不合格が発生するような場合に、詳細情報を検出することで試験条件を適正化することが可能となる。とくに、通信端末の試験では、試験装置からの指示に対する通信端末の応答を試験することになり、通信を介した応答期間の許容範囲などを考慮する必要がある。このため、試験装置では、通信端末からの応答を適切なタイミングで取得する必要があり、データの取得タイミングを最適化できることは大きな利点となる。
【００４６】
上記実施形態では、不合格の判定の前後について詳細情報を記録しているが、不合格の判定前、あるいは判定後の詳細情報のみを記録してもよい。
【００４７】
また、上記実施形態では、不合格の判定がなされた場合に詳細情報を記録しているが、例えば、不合格の判定値の９０％あるいは７０％といった条件でトリガ通知を行うことで、不合格に近い試験結果が得られた場合の詳細情報を記録してもよい。これにより、再現頻度が低い現象等についても、再現条件に結びつくデータをより高い確率で収集することができる。
【００４８】
また、詳細情報を記録する条件は不合格の判定に限定されることなく、任意に設定できる。例えば、測定条件が特定の条件を満たす場合、あるいは、測定結果が特定の条件を満たす場合等に詳細情報を記録してもよい。また、詳細情報を記録する条件を、ユーザが設定できるようにしてもよい。例えば、操作部８（図２（ｂ））に対する操作を介して条件の設定を受け付けてもよい。さらに、測定器や測定環境の異常を検出する手段を設け、何らかの異常が検出された場合に、詳細情報を記録するようにしてもよい。
【００４９】
試験装置の稼働時間、寿命のある部品の使用頻度や部品の寿命に関連する情報、例えば、ハードディスクに対するアクセス頻度、ハードディスクのエラーログなど、保守サービスに有用な内部情報をログとして記録し、上記詳細情報と併せて検証できるようにしてもよい。
【００５０】
また、試験装置の電源投入と電源切断の時刻をログとして記録し、上記詳細情報と併せて検証可能とすることで、ウォームアップ時間の不足等で発生する現象等も追跡しやすくなる。
【００５１】
上記実施形態では、内部ログを試験装置に内蔵した例を示したが、試験装置の外部に詳細情報を記録してもよい。
【００５２】
上記実施形態では、携帯電話機の試験を行う場合を例示したが、通信端末の種類はこれに限定されない。通信端末の通信の種類は無線通信に限定されず、有線通信、光通信等を含む。
【００５３】
本発明の適用範囲は上記実施形態に限定されることはない。本発明は、通信端末の通信特性を試験する試験装置および試験方法に対し、広く適用することができる。
【図面の簡単な説明】
【００５４】
【図１】本発明による通信端末の試験装置を機能的に示すブロック図。
【図２】本実施形態の試験装置の構成を示す図であり、（ａ）は、本実施形態の試験装置の構成を示すブロック図、（ｂ）は、本実施形態の試験装置の制御系の構成を示す制御ブロック図。
【図３】本実施形態の試験装置の動作を示す図であり、（ａ）は、試験装置の動作手順を示すフローチャート、（ｂ）は、記憶媒体に格納される詳細情報の時間的範囲を示す図。
【図４】試験結果格納部に格納される試験結果と、内部ログで取得される詳細情報との関係を示す図。
【符号の説明】
【００５５】
６      内部ログ（詳細情報取得手段、記録手段）
７      制御部（条件検出手段）
６１    一時記憶部（バッファリング手段）
６２    記憶媒体（記録手段）
１０１  詳細情報取得手段
１０２  条件検出手段
１０３  記録手段
【図１】
2007174176.tif 000003
【図２】
2007174176.tif 000004
【図３】
2007174176.tif 000005
【図４】
2007174176.tif 000006